(57)【要約】【課題】軒樋の形状に左右されずに、また、取り付け、取り外しの作業性が良好なネット固定具及びその取付構造を提供すること。【解決手段】本発明のネット固定具２０は、固定具本体３０と固定具本体３０にスライド嵌合可能なスライダ４０とから大略構成される。この固定具本体３０の一端３１ａには、基板両側３１ｃから延設され先端に向かって互いの距離ｄが離間するとともに、先端には互いに向き合って互いの間隔を狭めることによりブラケット２と係止可能な係止部３３を備えた弾性係止片３２を備え、また、固定具本体３０の他端３１ｂには、互いの固定具本体３０，３０を結束する結束部３４を備えている。また、スライダ４０は、スライダ４０を固定具本体３０に嵌合装着した状態で、スライダ４０を弾性係止片３２に向けてスライドさせた場合に、係止爪３３，３３間の間隔ｄが狭まることを特徴としている。【選択図】図１
2004353338.tif 000002
【特許請求の範囲】
【請求項１】
固定具本体と該固定具本体にスライド嵌合可能なスライダとから構成され、
前記固定具本体の一端には、両側から延設され先端に向かって互いの距離が離間するとともに、先端には互いに向き合って互いの間隔を狭めることによりブラケットと係止可能な係止部を備えた弾性係止片を備え、
前記固定具本体の他端には、互いの前記固定具本体を結束する結束部を備え、前記スライダは、該スライダを前記固定具本体に嵌合装着した状態で、該スライダを前記弾性係止片に向けてスライドさせた場合に、前記係止部間の間隔が狭まることを特徴とするネット固定具。
【請求項２】
前記固定具本体及び前記スライダには、前記弾性係止片間の先端の間隔を所望の間隔に設定するために前記スライダのスライド停止位置を所望の位置に設定する位置決め用部材が設けられ、
前記スライド停止位置は、前記係止部間の間隔が前記係止部を前記ブラケットに挿嵌した場合、該係止部の弾性に抗して該係止部間の間隔が押し広げられて該ブラケットに前記係止部が仮止め可能である仮止め位置を含むことを特徴とする請求項１に記載のネット固定具。
【請求項３】
上面が上空に向けて開口した雨水受け部に枯れ葉除け用のネットを長手方向に延びるように折り畳んで嵌挿し、該ネットの前面及び後面に沿ってそれぞれ請求項１又は２に記載のネット固定具を圧入して前記スライド部を前記弾性係止片に向けてスライドさせることにより前記ネット固定具を前記ブラケットに固定し、前記結束部間を結束することにより、前記ネットを固定したことを特徴とするネット固定具の取付構造。
【発明の詳細な説明】
【０００１】
【発明の属する技術分野】
本発明は、軒樋に配設された落ち葉を受ける落ち葉除けネットの脱落又は飛散を防止するネット固定具及びその取付構造に関する。
【０００２】
【従来の技術】
軒樋内に落ち葉などが入り込むと軒樋内が詰まり、雨水を排水する機能が損なわれるおそれがある。このため、上面が上空に向けて開口した雨水受け部を有する軒樋では、その雨水受け部から落ち葉が軒樋内に落ち込むのを防止するための落ち葉除けネットが用いられている。
【０００３】
例えば、軒樋の上部内に配設されるための落ち葉避け網であって、落ち葉を受けるための略水平な落ち葉受け網部の一端部から斜め外側上方向に向けて傾斜し且つ上方へ凸となるように湾曲させた傾斜網部を連出して構成してなる落ち葉避け網が提案されている（例えば、特許文献１参照。）。
【０００４】
また、例えば、図１５に示すように、図面と直交する長手方向に延びる軒樋１は、適宜の間隔で被固定面に固定された複数の軒樋吊具（ブラケット）２…により支持されて固定されている。
【０００５】
このブラケット２は、板状の取付部３と、この取付部３の前方に一体に突設された軒樋支持腕部４とを備えている。取付部３は被固定面としての鼻隠し板５に釘などにより固定され、軒樋支持腕部４は、前後（４ａ、４ｂ）において軒樋１の前側耳部６と後側耳部７とに固定されている。また、この図において符号８は水切り材であり、二本の銅線９、１０の一端がそれぞれ前側支持腕部４ａ及び後側支持腕部４ｂ付近に固定され、他端は上空に露出されている。
【０００６】
これにより、図１６に示すように、前側耳部６と軒先１１との間の長手方向に延びる雨水受け部１２が形成され、この雨水受け部１２には、プラスチック製のネット１３が二つに折り畳まれて挿嵌されている。その後、図１７に示すように、銅線９，１０を結束させることにより、ネット１３はブラケット２に固定されて脱落又は飛散することがない。
【０００７】
【特許文献１】
実開平３−９０７３５号公報
【０００８】
【発明が解決しようとする課題】
しかしながら、前者の特許文献１に記載の落ち葉避け網は軒樋の形状に制限があり特殊な形状の軒樋にしか利用できない。
【０００９】
また、後者のネットを銅線で固定する方法では、軒樋の形状、特に建物側に水切りなどを設ける場合には銅線の固定作業を含めた取付作業に時間を要するという問題点があった。
【００１０】
また、このようなネット（網）は、経年後には、軒樋内の清掃や枯れ葉を除けるために取り外して軒樋内の清掃を実施することが必要である。このため、ネットを取り付けたり、取り外したりする作業を繰り返して行った場合の作業性が良好なネット固定具が望まれる。
【００１１】
そこで、この発明は、軒樋の形状に左右されずに、また、取り付け、取り外しの作業性が良好なネット固定具及びその取付構造を提供することを目的とする。
【００１２】
【課題を解決するための手段】
本発明のネット固定具は、固定具本体と該固定具本体にスライド嵌合可能なスライダとから構成され、前記固定具本体の一端には、両側から延設され先端に向かって互いの距離が離間するとともに、先端には互いに向き合って互いの間隔を狭めることによりブラケットと係止可能な係止部を備えた弾性係止片を備え、前記固定具本体の他端には、互いの前記固定具本体を結束する結束部を備え、前記スライダは、該スライダを前記固定具本体に嵌合装着した状態で、該スライダを前記弾性係止片に向けてスライドさせた場合に、前記係止部間の間隔が狭まることを特徴としている。
【００１３】
このようなネット固定具は、軒先等の被固定面に固定された軒樋支持用のブラケットに固定して用いることができる。
【００１４】
例えば、上面が上空に向けて開口した雨水受け部に枯れ葉除け用のネットを長手方向に延びるように折り畳んで嵌挿する。この状態では、ネットの弾性力によりネットの前面及び後面はそれぞれ軒樋の前側（前側耳部や前壁）及び建物側（軒先又は水切り等）に弾性的に圧接されて長手方向にわたって雨水受け部の開口はネットで隙間無く覆われる。
【００１５】
ついで、このネットの前面及び後面に沿ってそれぞれ本発明のネット固定具を圧入し、係止部をブラケットに係合させる。この状態でスライド部をスライドさせると、弾性係止片はスライダにより係止部の間隔が狭まるように付勢されてブラケットに固定される。
【００１６】
ついで、結束部間を結束バンドや針金などの結束部材により結束することにより二つのネット固定具の上端は結束部材により連結され、下端はブラケットにより固定される。これにより、これらの二つのネット固定具、結束部材及びブラケットでネットの周囲が囲まれるので、ネットが脱落又は飛散することがない。
【００１７】
スライダを固定具本体から引き抜くとスライダにより付勢されていた弾性係止片の付勢力が解除されて弾性係止片の復元弾性力により係止部の間隔が復元されて開くことにより、係止部とブラケットとの係止が解除されてネット固定具をブラケットから取り外すことができる。
【００１８】
このネット固定具の取り付け及び取り外し操作は実質的にネット固定具のネットの前面及び後面への圧入とスライダの進退操作により行えるので、取り付け、取り外しの作業性が良好であるという特徴を備えている。
【００１９】
ここで、これらの固定具本体及びスライダには弾性係止片間の先端の間隔を所望の間隔に設定するためにスライダのスライド停止位置を所望の位置に設定する位置決め用部材が設けられ、そのスライド停止位置は仮止め位置を含むことが好ましい。この仮止め位置とは、係止部をブラケットに挿嵌した場合、係止部の弾性に抗して係止部間の間隔が押し広げられてブラケットに係止部が嵌合（又は遊嵌）される位置であり、この仮止め位置では係止部にブラケットは嵌合（又は遊嵌）されて係合するが、確実には係止されていない。
【００２０】
すなわち、この仮止め位置に設定されたネット固定具をネットの前面又は後面に挿嵌させると、係止部がブラケットに挿嵌されて係止部がブラケットに当接する。係止部間の間隔は弾性に抗して押し広げられ、係止部は嵌合（又は遊嵌）してブラケットに仮止めされる。この仮止め状態では、係止部はブラケットに挿嵌されて嵌合（又は遊嵌）されて固定されるが、ネットに力を受けると弾性係止片が変形して係止部間の間隔が押し広げられてこの嵌合（又は遊嵌）は解除可能となる。また、この仮止め状態で、スライダを弾性係止片に向けてスライドさせて係止部間の間隔を狭めることにより、係止部のブラケットへの係止が確実となり、ネットに力を受けても係止部がブラケットから脱落することがなくなる。
【００２１】
それ故、この仮止め設定位置に設定されたネット固定具をネットの前面及び後面にそれぞれ圧入して係止部をブラケットに仮止め状態とし、ついで、この仮止め状態でスライダをスライドさせてブラケットにネット固定具を係止させる操作により、作業性良好にネット固定具をブラケットに係止させることができる。係止を解除する際には、スライダをこの仮止め停止位置で係合を解除してもよいが、固定具本体からスライダを抜き出すなどして弾性係止片の付勢を完全に解除した状態で係合を解除するのが簡易である。
【００２２】
【発明の実施の形態】
以下、本発明の具体的な実施の形態について、図面を参照しつつ説明する。なお、従来技術と同一乃至は均等な部位部材は同一番号を付して詳細な説明は省略する。
【００２３】
図１は、この発明の実施の形態に係るネット固定具を説明する図である。このネット固定具２０は、固定具本体３０とその固定具本体３０にスライド嵌合可能なスライダ４０とから構成される。
【００２４】
固定具本体３０は、図２及び図３に示すように、略方形の板状の基盤３１とその基盤３１の両側（基盤両側）３１ｃ、３１ｃに沿って基盤の先端（基盤先端）３１ａから延設されて形成された一対の弾性係止片３２、３２とから大略構成され、この弾性係止片３２の厚みは、基盤３１の厚みと略同一である。
【００２５】
この弾性係止片３２は、先端に向かって互いの距離が離間され、その先端にはフック状の係止爪（係止部）３３が互いに向き合って設けられている。これらの係止爪３３、３３は、先端３３ａ，３３ａから内側に向かって傾斜した傾斜面３３ｂ、３３ｂを備え、それらの傾斜面３３ｂ、３３ｂの内側先端３３ｃ、３３ｃは鋭角となって各弾性係止片３２、３２側に曲折されて係止面３３ｄ、３３ｄが形成されている。
【００２６】
これにより弾性係止片３２の互いに向き合う内側面３２ｂ、３２ｂと係止面３３ｄ、３３ｄとで鉤状（フック状）の係止爪３３，３３が形成されている。以下、内側先端３３ｃ、３３ｃ間の距離を係止爪内法ｄと呼称し、３３ａ、３３ａ間の寸法を係止爪外法Ｄと呼称し、基盤３１の幅を基盤幅Ｗ３１と呼称して説明する。
【００２７】
また、基盤の基部（基盤基部）３１ｂには、互いのネット固定具２０，２０（又は基盤３１，３１）を結束するための結束部を備えている。この発明の実施の形態の結束部は、基盤基部３１ｂ付近に穿設された結束材を通す結束材通し孔３４である。この結束材通し孔３４には、図１に示すように、結束材としての針金２１などが貫通されて二つのネット固定具２０，２０が連結可能とされる。
【００２８】
ここで、この実施例の結束材としては針金２１が用いられているが、針金２１に限らず結束バンドなどであってもよい。また、結束部は結束材通し孔３４に限らずに結束材に係止できる形状又は部材であれば特には制限はない。
【００２９】
さらにこの基盤３１の背面３１ｄの略中央には、左右に一対の位置決め用突起３５、３５が設けられている。
【００３０】
一方、スライダ４０は、図４及び図５に示すように、板状体のスライダ本体部４１とその両側に形成された一対のスライド支持部４３、４３を備え、そのスライド支持部４３、４３は、固定具本体３０をスライド嵌合可能にするためのものである。
【００３１】
このスライド支持部４３、４３は、スライダ本体部４１の両側から直角に背面４１ｂ側に曲折した側壁４３ｃ，４３ｃと該側壁４３ｃ、４３ｃから直角に内側に向けて曲折した背面壁４３ｂ、４３ｂとを備えている。これによりスライダ本体部４１と側壁４３ｃと背面壁４３ｂとによりスライダ本体部４１の長手方向に延びる凹状の開口部４２が互いに向き合って左右対称に形成されている。
【００３２】
ここで、両側壁４３ｃ、４３ｃ間の内側の距離（凹所内法）Ｗ４３は、基盤幅Ｗ３１に嵌合スライドできる範囲で略等しい（Ｗ３１＝Ｗ４３）。またこの凹所内法Ｗ４３は、係止爪外法Ｄよりも狭い（Ｗ４３＜Ｄ）。
【００３３】
背面壁４３ｂの内側縁には、左右対称位置に長手方向に３カ所の位置決め用凹部４４が半円弧状の切欠として形成されている。この位置決め用凹部４４は、以下の説明において便宜的に基部側から固定用凹部４４ａ、仮止め用凹部４４ｂ、脱着用凹部４４ｃと呼称して説明するが、この位置決め用凹部４４はこの３カ所に限らず、例えば、仮止め用凹部４４ｂの一カ所のみであっても、また、３カ所よりも多く設けられていてもよい。
【００３４】
また、スライダ本体部４１の先端側の中央は切りかかれて切欠部４５が設けられ、スライド支持部４３，４３はこの切欠部４５の両側まで延設されている。
【００３５】
一方、スライダ本体部４１の正面４１ａの基部側には把手４６が正面４１ａより突出した凸条として設けられている。
【００３６】
次に以上のように構成されたスライダ４０と固定具本体３０とからネット固定具２０への組立ての状況及び組み立てられたネット固定具２０の取り付けの状況を説明する。
【００３７】
図６に示すように、基盤基部３１ｂの両基盤側部３１ｃ、３１ｃに沿ってスライダ４０の先端４３ａからスライド支持部４３を嵌挿させる。スライド支持部４３の先端４３ａが位置決め用突起３５に当接するが、少し強く先端側に向けてスライダ４０を押し込む方向にスライドさせる。スライダ４０は、順次脱着用凹部４４ｃ、仮止め用凹部４４ｂ、固定用凹部４４ａに位置決めされつつスライド可能である。
【００３８】
位置決め用突起３５が脱着用凹部４４ｃに嵌合した状態では、図７に示すように、係止爪３３、３３間の内法（係止爪内法）ｄ４４ｃは、係止爪内法ｄに略等しいが（ｄ４４ｃ＝ｄ）、位置決め用突起３５が仮止め用凹部４４ｂに嵌合した状態では、図８に示すように、弾性係止片係３２，３２が側壁４３ｃ、４３ｃに規制されて弾性的に内側に変形し、係止爪３３、３３間の内法（係止爪内法）ｄ４４ｂは、係止爪内法ｄよりも狭まる（ｄ４４ｂ＜ｄ４４ｃ＝ｄ）。
【００３９】
ついで、位置決め用突起３５が固定用凹部４４ａに嵌合した状態では、図９に示すように、弾性係止片係３２，３２が側壁４３ｃ、４３ｃにより一層規制されて弾性係止片３２、３２は弾性的に一層内側に変形し、係止爪３３、３３間の内法（係止爪内法）ｄ４４ａは更に狭まる（ｄ４４ａ＜ｄ４４ｂ＜ｄ４４ｃ＝ｄ）。
【００４０】
次に、このようなネット固定具２０を用いた固定具の取り付け及び取り外しについて説明する。
【００４１】
仮止め用凹部４４ｃに位置決め用突起３５を嵌合させた仮止め用の状態で、図１０（ａ）に示すように、係止爪３３をブラケット２（又はブラケット２の軒樋支持腕部４）に当接させ、押し込む。これにより、ブラケット２は、図１０（ｂ）に示すように、係止爪３３、３３内の切欠部４５内に遊嵌されて仮保持される。
【００４２】
ついで、把手４６を押し込んで位置決め用突起３５が固定用凹部４４ａに嵌合する位置までスライダ４０を押し込むことにより、弾性係止片３２が一層弾性変形し、図１０（ｃ）に示すように、係止爪３３，３３によりブラケット２が把持されてネット固定具２０がブラケット２に固定される。
【００４３】
次にネット固定具２０を取り外すには、把手４６を用いて位置決め用突起３５が脱着用凹部４４ｃの位置に嵌合するまでスライダ４０を引き出して図１１（ａ）に示すようなブラケット２が係止爪３３、３３によりフリーとなる状態とする。この状態で、図１１（ｂ）に示すように、ネット固定具２０をブラケット２から取り外すことができる。
【００４４】
これらの取り付け及び取り外し操作はスライダ４０をスライドしてネット固定具を押し込んだり引き抜いたりする操作であり、簡易な操作で取り付け取り外しが行える。また、この取り付け、取り外しの操作は繰り返して行うことができる。
【００４５】
つぎに、このネット固定具２０を用いたネットの固定の方法について具体的に説明する。
【００４６】
この軒樋１は、例えば、図１２に示すように、図面と直交する長手方向に延び、適宜の間隔で被固定面に固定された複数の軒樋吊具（ブラケット）２…により支持されて固定されている。
【００４７】
このブラケット２は、板状の取付部３と、この取付部３の前方に一体に突設された軒樋支持腕部４とを備えている。取付部３は被固定面としての鼻隠し板５に釘などにより固定され、軒樋支持腕部４は、前後（４ａ、４ｂ）において軒樋１の前側耳部６と後側耳部７とに固定されている。これにより、前側耳部６と軒先１１との間の長手方向に延びる雨水受け部１２が形成されている。本発明においては、この雨水受け部１２に直接プラスチック製のネット１３を長手方向に延びるように二つに折り畳んで矢印に従って端縁１３ａ側から嵌挿する。
【００４８】
ネット１３が雨水受け部１２に挿嵌された状態では、図１３に示すように、折り畳まれたネット１３の弾性力によりネット１３の前面１４及び後面１５はそれぞれ軒樋の前側（前側耳部６）及び建物側（水切り材８）に弾性的に圧接されて長手方向にわたって雨水受け部１２の開口はネット１３で隙間無く覆われる。
【００４９】
ついで、本発明に従うネット固定具２０を用意し、図１又は図１３に示すように、二つのネット固定具２０，２０の結束材通し孔３４，３４に針金２１を貫通させておく。また、位置決め用突起３５は仮止め用凹部４４ｂに嵌合させておく。
【００５０】
ついで、このネット１３の前面１４及び後面１５に沿ってそれぞれ本発明のネット固定具２０，２０を圧入し、係止爪３３…がブラケット２（又は軒樋支持腕部４）に遊嵌された仮止め状態とする。
【００５１】
この仮止め状態とは、係止部（係止爪３３）をブラケット２に挿嵌した場合、係止爪３３の弾性に抗して係止爪間の間隔ｄ４４ｂが押し広げられてブラケット２に嵌合（又は遊嵌）される位置であり、この位置では係止爪３３にブラケット２は嵌合（又は遊嵌）されて係合するが、確実には係止されていない。
【００５２】
すなわち、この仮止め位置に設定されたネット固定具２０，２０をネット１３の前面１４又は後面１５に挿嵌させると、係止爪３３がブラケット２に挿嵌されて係止爪３３がブラケット２に当接する。係止部間の間隔ｄは弾性に抗して押し広げられ、係止爪は嵌合（又は遊嵌）してブラケット２に仮止めされる。
【００５３】
この仮止め状態では、係止爪３３はブラケット２に遊嵌されているが、強い風がネット１３に当たった場合などでは、弾性係止片３２等が変形して係止部間の間隔ｄが押し広げられてネット固定具２０がブラケット２から脱落する場合がある。
【００５４】
そこで、この発明では、スライダ４０を仮止め状態から締結状態へと移動させる。すなわち、この仮止め状態で把手４６を使用してスライダ４０をスライドさせると、弾性係止片３２…はスライダ４０により係止部の間隔が狭まるように付勢されてブラケット２に固定される。これにより、ブラケット２への係止が確実となり、ネット１３に外力を受けても係止部がブラケットから脱落することがなくなる。
【００５５】
ついで、図１４に示すように、銅線２１を結束することにより、二つのネット固定具２０，２０の上端は結束部材としての銅線２１により連結され、下端はブラケット２により固定される。これにより、ネット１３は、これらの二つのネット固定具２０，２０、結束部材（銅線２１）及びブラケット２で周囲が囲まれるので、脱落又は飛散することがない。
【００５６】
ネット１３を取り外す場合には、スライダ４０の把手４６を利用してスライダ４０を固定具本体３０から引き抜く方向にスライドさせることにより、ブラケット２を締め付けていた弾性係止片３２，３２の付勢力が解除されて弾性係止片３２，３２の復元弾性力により係止爪３３の間隔ｄが復元されて開くことにより、係止爪３３とブラケット２との固定が解除されてネット固定具２０，２０をブラケット２から取り外すことができる。
【００５７】
このネット固定具２０，２０の取り付け及び取り外し操作は実質的にネット固定具２０，２０をネット１３の前面１４及び後面１４への圧入とスライダ４０の進退操作（スライド操作）により行えるので、取り付け、取り外しの作業性が良好であるという特徴を備えている。
【００５８】
また、以上の発明の好ましい実施の形態の一例では、固定具本体３０及びスライダ４０には弾性係止片間の先端の間隔を所望の間隔に設定するためにスライド停止位置を複数の所望の位置に設定する位置決め用部材が設けられていたが、そのスライド停止位置が仮止め位置を含めば無くてもよい。
【００５９】
以上、この発明の実施の形態を図面により詳述してきたが、具体的な構成はこの実施の形態に限らず、この発明の要旨を逸脱しない範囲の設計の変更等があってもこの発明に含まれる。
【００６０】
【発明の効果】
以上説明してきたように、本発明によれば、軒樋の形状に左右されずに、また、取り付け、取り外しの作業性が良好なネット固定具及びその取付構造を提供することができる、という実用上有益な効果を発揮する。
【図面の簡単な説明】
【図１】本発明の実施の形態に係るネット固定具をブラケットに取り付ける状況を説明する斜視図である。
【図２】本発明の実施の形態に係る固定具本体を説明するための背面図である。
【図３】図２のネット固定具の平面図である。
【図４】本発明の実施の形態に係るスライダを説明するための背面図である。
【図５】図４のスライダの平面図である。
【図６】本発明の実施の形態に係るネット固定具の組み付けの状況を説明する背面図である。
【図７】本発明の実施の形態に係るネット固定具の位置決めの状況を説明する背面図である。
【図８】本発明の実施の形態に係るネット固定具の位置決めの状況を説明する背面図である。
【図９】本発明の実施の形態に係るネット固定具の位置決めの状況を説明する背面図である。
【図１０】図１０（ａ）〜（ｃ）は、本発明の実施の形態に係るネット固定具をブラケットに取り付ける状況を説明する正面図である。
【図１１】図１１（ａ）、（ｂ）は、本発明の実施の形態に係るネット固定具をブラケットから取り外す状況を説明する正面図である。
【図１２】本発明の実施の形態に係るネット固定具を軒樋に取り付ける工程を断面により説明する図である。
【図１３】本発明の実施の形態に係るネット固定具を軒樋に取り付ける工程を断面により説明する図である。
【図１４】本発明の実施の形態に係るネット固定具を軒樋に取り付ける工程を断面により説明する図である。
【図１５】従来例に係るネットを軒樋に取り付ける工程を断面により説明する図である。
【図１６】従来例に係るネットを軒樋に取り付ける工程を断面により説明する図である。
【図１７】従来例に係るネットを軒樋に取り付ける工程を断面により説明する図である。
【符号の説明】
１：軒樋
２：ブラケット（軒樋吊具）
３：取付部
４：軒樋支持腕部
１１：軒先
１２：雨水受け部
１３：ネット
２０：ネット固定具
２１：針金（結束材）
３０：固定具本体
３１：基盤
３１ａ：基盤先端（一端）
３１ｂ：基盤基部（他端）
３１ｃ：基盤両側
３２：弾性係止片
３３：係止爪（係止部）
３３ａ：先端
３５：位置決め用突起
４０：スライダ
４１：スライダ本体部
４２：開口部
４３：スライド支持部
４４：位置決め用凹部
４４ａ：固定用凹部
４４ｂ：仮止め用凹部
４４ｃ：脱着用凹部
４６：把手
ｄ：係止爪内法
Ｄ：係止爪外法
【図１】
2004353338.tif 000003
【図２】
2004353338.tif 000004
【図３】
2004353338.tif 000005
【図４】
2004353338.tif 000006
【図５】
2004353338.tif 000007
【図６】
2004353338.tif 000008
【図７】
2004353338.tif 000009
【図８】
2004353338.tif 000010
【図９】
2004353338.tif 000011
【図１０】
2004353338.tif 000012
【図１１】
2004353338.tif 000013
【図１２】
2004353338.tif 000014
【図１３】
2004353338.tif 000015
【図１４】
2004353338.tif 000016
【図１５】
2004353338.tif 000017
【図１６】
2004353338.tif 000018
【図１７】
2004353338.tif 000019